(57)【特許請求の範囲】
【請求項１】
所定操作される１つの入力操作部と、
当該情報処理装置のロック／アンロックの要求履歴を記憶する記憶部と、
前記入力操作部が所定操作されたとき、前記記憶部に記憶された前記要求履歴がアンロックモードである場合にはロック要求操作に該当する所定操作のエミュレーションを実行し、前記記憶部に記憶された前記要求履歴がロックモードである場合にはアンロック要求操作に該当する所定操作のエミュレーションを実行するロック／アンロックのモード切替処理部と、
複数のキーとを具備し、
前記入力操作部は単一の操作ボタンであり、
前記ロック要求操作に該当する所定操作は、前記複数のキーのうちの第１の複数のキーの組み合わせのキー押下であり、
前記アンロック要求操作に該当する所定操作は、前記複数のキーのうち前記第１の複数のキーの組み合わせと異なる第２の複数のキーの組み合わせのキー押下である
ことを特徴とする情報処理装置。
【請求項２】
前記入力操作部が所定操作されたとき、前記記憶部に記憶された前記要求履歴がアンロックモードである場合にはロック要求操作に該当する[Ｗｉｎｄｏｗｓ（登録商標）]および[Ｌ]キー押下操作のエミュレーションを実行し、前記記憶部に記憶された前記要求履歴がロックモードである場合にはアンロック要求操作に該当する[ＣＴＲＬ]＋[ＡＬＴ]＋[ＤＥＬ]キー押下操作のエミュレーションを実行する
請求項１に記載の情報処理装置。
【請求項３】
前記記憶部は、当該情報処理装置がアンロックモードにある場合に前記入力操作部が所定操作されたとき、ロックモードに切替ったことを記憶し、ロックモードにある場合に前記入力操作部が所定操作されたとき、アンロックモードに切替ったことを記憶する請求項１に記載の情報処理装置。
【請求項４】
前記記憶部は、前記モード切替処理部に設けられ、
前記入力操作部は、
前記入力操作部が所定操作されたとき、当該情報処理装置がロックモードにあるかアンロックモードにあるかを、前記モード切替処理部と通信して、前記記憶部に記憶された前記ロック／アンロックの要求履歴から判定し、
アンロックモードにあると判定されたときは、前記モード切替処理部にロック要求を通知してロック要求操作に該当する所定操作のエミュレーションを実行させ、
ロックモードにあると判定されたときは、前記モード切替処理部にアンロック要求を通知してアンロック要求操作に該当する所定操作のエミュレーションを実行させる、
請求項３に記載の情報処理装置。
【請求項５】
前記記憶部は、前記入力操作部に設けられ、
前記入力操作部は、
前記入力操作部が所定操作されたとき、当該情報処理装置がロックモードにあるかアンロックモードにあるかを、前記記憶部に記憶された前記ロック／アンロックの要求履歴から判定し、
アンロックモードにあると判定されたときは、ロック要求を前記モード切替処理部に通知してロック要求操作に該当する所定操作のエミュレーションを実行させ、
ロックモードにあると判定されたときは、アンロック要求を前記モード切替処理部に通知してアンロック要求操作に該当する所定操作のエミュレーションを実行させる、
請求項３に記載の情報処理装置。
【請求項６】
生体情報読取部を備え、
前記生体情報読取部の近傍に前記入力操作部が配置され、
前記情報処理装置がロックモードにある場合に前記入力操作部が所定操作されたとき、アンロック操作に該当する所定操作のエミュレーションを実行した後、前記生体情報読取部を用いた認証操作に速やかに移ることを可能とした、
請求項１乃至５の何れか一つに記載の情報処理装置。
【請求項７】
情報処理装置で実行される情報処理方法において、
１つの入力操作部に対する所定操作を検出するステップと、
前記情報処理装置のロック／アンロックの要求履歴を記憶するステップと、
前記所定操作が検出されたとき、記憶された前記要求履歴をもとに、前記情報処理装置がアンロックモードである場合にはロック要求操作に該当する所定操作のエミュレーションを実行し、記憶された前記要求履歴をもとに、前記情報処理装置がロックモードである場合にはアンロック要求操作に該当する所定操作のエミュレーションを実行するロック／アンロックのモード切替処理ステップと、を具備する情報処理方法であって、
前記情報処理装置は複数のキーを具備し、
前記入力操作部は単一の操作ボタンであり、
前記ロック要求操作に該当する所定操作は、前記複数のキーのうちの第１の複数のキーの組み合わせのキー押下であり、
前記アンロック要求操作に該当する所定操作は、前記複数のキーのうち前記第１の複数のキーの組み合わせと異なる第２の複数のキーの組み合わせのキー押下であることを特徴とする情報処理方法。
【請求項８】
前記所定操作が検出されたとき、記憶された前記要求履歴をもとに、前記情報処理装置がアンロックモードである場合にはロック要求操作に該当する[Ｗｉｎｄｏｗｓ（登録商標）]および[Ｌ]キー押下操作のエミュレーションを実行し、記憶された前記要求履歴をもとに、前記情報処理装置がロックモードである場合にはアンロック要求操作に該当する[ＣＴＲＬ]＋[ＡＬＴ]＋[ＤＥＬ]キー押下操作のエミュレーションを実行する
請求項７に記載の情報処理方法。
【請求項９】
当該情報処理装置が、アンロックモードにある場合に前記入力操作部が所定操作されたとき、ロックモードに切替ったことを記憶し、ロックモードにある場合に前記入力操作部が所定操作されたとき、アンロックモードに切替ったことを記憶する記憶部を備え、
前記モード切替処理ステップは、前記記憶部の記憶内容を参照してモードを切り替える、
請求項７に記載の情報処理方法。
【請求項１０】
情報処理装置で実行されるプログラムであって、該情報処理装置に、
１つの入力操作部に対する所定操作を検出するステップと、
前記情報処理装置のロック／アンロックの要求履歴を記憶するステップと、
前記所定操作が検出されたとき、記憶された前記要求履歴をもとに、前記情報処理装置がアンロックモードである場合にはロック要求操作に該当する所定操作のエミュレーションを実行し、記憶された前記要求履歴をもとに、前記情報処理装置がロックモードである場合にはアンロック要求操作に該当する所定操作のエミュレーションを実行するロック／アンロックのモード切替処理ステップと、を実行させるためのプログラムであって、
前記情報処理装置は複数のキーを具備し、
前記入力操作部は単一の操作ボタンであり、
前記ロック要求操作に該当する所定操作は、前記複数のキーのうちの第１の複数のキーの組み合わせのキー押下であり、
前記アンロック要求操作に該当する所定操作は、前記複数のキーのうち前記第１の複数のキーの組み合わせと異なる第２の複数のキーの組み合わせのキー押下であるプログラム。
【請求項１１】
前記所定操作が検出されたとき、記憶された前記要求履歴をもとに、前記情報処理装置がアンロックモードである場合にはロック要求操作に該当する[Ｗｉｎｄｏｗｓ（登録商標）]および[Ｌ]キー押下操作のエミュレーションを実行し、記憶された前記要求履歴をもとに、前記情報処理装置がロックモードである場合にはアンロック要求操作に該当する[ＣＴＲＬ]＋[ＡＬＴ]＋[ＤＥＬ]キー押下操作のエミュレーションを実行する、
請求項１０に記載のプログラム。
【請求項１２】
前記情報処理装置が、アンロックモードにある場合に前記入力操作部が所定操作されたとき、ロックモードに切替ったことを記憶し、ロックモードにある場合に前記入力操作部が所定操作されたとき、アンロックモードに切替ったことを記憶する記憶部を備え、
前記モード切替処理ステップは、前記記憶部の記憶内容を参照してモードを切り替える、
請求項１０に記載のプログラム。
【発明の詳細な説明】
【技術分野】
【０００１】
本発明は、情報処理装置、情報処理方法およびプログラムに関し、特に、簡単な操作で情報処理装置をロック/アンロックする情報処理装置、情報処理方法およびプログラムに関する。
【背景技術】
【０００２】
近年の情報処理装置は、セキュリティの観点から、所定のユーザ以外の者が不正に装置にアクセスすることを防止するように構成されている。例えば、セキュリティのため、予め情報処理装置に対してパスワード保護付きスクリーンセーバを設定しておき、所定のユーザが情報処理装置から一旦離れる時、即座に情報処理装置をロック状態にし、ユーザが装置から離れている間、ユーザ以外の者が装置を使用できないように構成されている。一般に、コンピュータを備えた情報処理装置をロック状態にするには、予め定められた複数のキーを組み合わせたショートカットキー、例えば［Windows（登録商標）］＋［L］キーを操作する。【０００３】
また、セキュリティのため、ユーザが戻った後、ユーザに情報処理装置へのアクセスを許可する前に、所定のユーザであることの認証（パスワード認証や生体認証など）が求められている。この場合、情報処理装置をロック状態からアンロック状態にするため、［CTRL] ＋［ALT] ＋［DEL]キーを操作し、その後パスワード認証や生体認証などの認証操作を行っている。【０００４】
しかし、［Windows（登録商標）]＋［L]キーや［CTRL]＋［ALT]＋［DEL]キーなど複数のキーの同時操作は煩雑であり、また［CTRL]＋［ALT]＋［DEL]キーなどの３つ以上のキーの同時操作はキーボードの種類にもよるが片手では操作できず、セキュリティのためのユーザ操作が簡便でない。【０００５】
特許文献１に記載の発明は、セキュリティのためのユーザ操作を簡便にするため、１つのボタンでシステムをロック状態にすることを可能にする情報処理装置（コンピュータを備えたシステム）およびその方法を提供したものである。特許文献１に記載の発明によれば、セキュリティボタンの押下操作を検出しＢＩＯＳに通知するハードウェアと、セキュリティボタンの押下操作がなされた通知を受け、システムのロックを実現するスクリーンセーバを起動するためのキー押下操作があったときに発行するイベントと同じイベントを常駐プログラムに対して発行するＢＩＯＳと、ＢＩＯＳから発行されるイベントに応答してシステムのロックを実現するスクリーンセーバの起動を依頼するＯＳ配下のＡＰＩとを備え、ＡＰＩが常駐プログラムからの依頼に応じてスクリーンセーバを起動してシステムをロック状態にする。【０００６】
【特許文献１】特開２００４−５２１４号公報（特許請求の範囲、明細書の段落［０００１］、［０００８］〜［００１０］、および図面の図４、および要約書参照）
【発明の開示】
【発明が解決しようとする課題】
【０００７】
特許文献１に記載の発明は、システムをロック状態からアンロック状態にするためにはもう一つのボタンを必要とし合計２つのボタンが必要になり１つのボタンを設けた場合と比べ価格が上がり実装スペースが増えるという問題がある。【０００８】
本発明は上記問題を解決するためになされたものであり、１つのボタンの操作によってシステムのロック/アンロックを、価格を上げることなく実装スペースを増やすことなく、簡便な操作で実現する情報処理装置、情報処理方法およびプログラムを提供することを目的とする。
【課題を解決するための手段】
【０００９】
本発明による第１形態の情報処理装置は、所定操作される１つの入力操作部と、前記入力操作部が所定操作されたとき、当該情報処理装置が、アンロックモードにある場合にはロック要求操作に該当する所定操作のエミュレーションを実行し、ロックモードにある場合にはアンロック要求操作に該当する所定操作のエミュレーションを実行するロック／アンロックのモード切替処理部と、を具備することを特徴とする。【００１０】
本発明による第２形態の情報処理装置は、所定操作される１つの入力操作部と、前記入力操作部が所定操作されたとき、当該情報処理装置が、アンロックモードにある場合にはロック要求操作に該当する［Windows（登録商標）]＋［L]キー押下操作のエミュレーションを実行し、ロックモードにある場合にはアンロック要求操作に該当する［CTRL]＋［ALT]＋［DEL]キー押下操作のエミュレーションを実行するロック／アンロックのモード切替処理部と、を具備することを特徴とする。【００１１】
上記本発明による第１形態の情報処理装置において、当該情報処理装置が、アンロックモードにある場合に前記入力操作部が所定操作されたとき、ロックモードに切替ったことを記憶し、ロックモードにある場合に前記入力操作部が所定操作されたとき、アンロックモードに切替ったことを記憶する記憶部を備えている。【００１２】
上記本発明による第１形態の情報処理装置において、前記記憶部は、前記モード切替処理部に設けられ、前記入力操作部は、前記入力操作部が所定操作されたとき、当該情報処理装置がロックモードにあるかアンロックモードにあるかを前記モード切替処理部と通信して前記記憶部の記憶情報から判定し、アンロックモードにあると判定されたときは、前記モード切替処理部にロック要求を通知してロック要求操作に該当する所定操作のエミュレーションを実行させ、ロックモードにあると判定されたときは、前記モード切替処理部にアンロック要求を通知してアンロック要求操作に該当する所定操作のエミュレーションを実行させる。【００１３】
上記本発明による第１形態の情報処理装置において、前記記憶部は、前記入力操作部に設けられ、前記入力操作部は、前記入力操作部が所定操作されたとき、当該情報処理装置がロックモードにあるかアンロックモードにあるかを前記記憶部の記憶情報から判定し、アンロックモードにあると判定されたときは、ロック要求を前記モード切替処理部に通知してロック要求操作に該当する所定操作のエミュレーションを実行させ、ロックモードにあると判定されたときは、アンロック要求を前記モード切替処理部に通知してアンロック要求操作に該当する所定操作のエミュレーションを実行させる。【００１４】
上記本発明による第１および第２形態の情報処理装置において、生体情報読取部を備え、前記生体情報読取部の近傍に前記入力操作部が配置され、前記情報処理装置がロックモードにある場合に前記入力操作部が所定操作されたとき、アンロック操作に該当する所定操作のエミュレーションを実行した後、前記生体情報読取部を用いた認証操作に速やかに移ることを可能とする。【００１５】
本発明による第１形態の情報処理装置で実行される情報処理方法は、１つの入力操作部に対する所定操作を検出するステップと、前記所定操作が検出されたとき、前記情報処理装置が、アンロックモードにある場合にはロック要求操作に該当する所定操作のエミュレーションを実行し、ロックモードにある場合にはアンロック要求操作に該当する所定操作のエミュレーションを実行するロック／アンロックのモード切替処理ステップと、を具備することを特徴とする。【００１６】
本発明による第２形態の情報処理装置で実行される情報処理方法は、１つの入力操作部に対する所定操作を検出するステップと、前記所定操作が検出されたとき、前記情報処理装置が、アンロックモードにある場合にはロック要求操作に該当する［Windows（登録商標）]＋［L]キー押下操作のエミュレーションを実行し、ロックモードにある場合にはアンロック要求操作に該当する［CTRL]＋［ALT]＋［DEL]キー押下操作のエミュレーションを実行するロック／アンロックのモード切替処理ステップと、を具備することを特徴とする。【００１７】
上記本発明による第１形態の情報処理方法において、当該情報処理装置が、アンロックモードにある場合に前記入力操作部が所定操作されたとき、ロックモードに切替ったことを記憶し、ロックモードにある場合に前記入力操作部が所定操作されたとき、アンロックモードに切替ったことを記憶する記憶部を備え、前記モード切替処理ステップは、前記記憶部の記憶内容を参照してモードを切り替える、ことを特徴とする。【００１８】
本発明による第１実施形態の情報処理装置で実行されるプログラムは、該情報処理装置に、１つの入力操作部に対する所定操作を検出するステップと、前記所定操作が検出されたとき、前記情報処理装置が、アンロックモードにある場合にはロック要求操作に該当する所定操作のエミュレーションを実行し、ロックモードにある場合にはアンロック要求操作に該当する所定操作のエミュレーションを実行するロック／アンロックのモード切替処理ステップと、を実行させる。【００１９】
本発明による第２実施形態の情報処理装置で実行されるプログラムは、該情報処理装置に、１つの入力操作部に対する所定操作を検出するステップと、前記所定操作が検出されたとき、前記情報処理装置が、アンロックモードにある場合にはロック要求操作に該当する［Windows（登録商標）]＋［L]キー押下操作のエミュレーションを実行し、ロックモードにある場合にはアンロック要求操作に該当する［CTRL]＋［ALT]＋［DEL]キー押下操作のエミュレーションを実行するロック／アンロックのモード切替処理ステップと、を実行させる。【００２０】
本発明による第１実施形態のプログラムは、前記情報処理装置が、アンロックモードにある場合に前記入力操作部が所定操作されたとき、ロックモードに切替ったことを記憶し、ロックモードにある場合に前記入力操作部が所定操作されたとき、アンロックモードに切替ったことを記憶する記憶部を備え、前記モード切替処理ステップは、前記記憶部の記憶内容を参照してモードを切り替える、ことを特徴とする。
【発明の効果】
【００２１】
本発明の情報処理装置、情報処理方法およびプログラムによれば、１つの入力操作部を所定操作する、例えば１つのボタンを押下操作することにより、情報処理装置のロック/アンロックを、価格を上げることなく実装スペースを増やすことなく、簡便な操作で実現する情報処理装置、情報処理方法およびプログラムを提供できる。
【図面の簡単な説明】
【００２２】
【図１】本発明の一実施形態による情報処理装置のブロック構成図である。
【図２Ａ】入力操作部の押下操作によりシステムをロック／アンロック状態に切替える処理の第１実施例を示し、アンロック状態からロック状態に切替える処理を示す図である。
【図２Ｂ】入力操作部の押下操作によりシステムをロック／アンロック状態に切替える処理の第１実施例を示し、ロック状態からアンロック状態に切替える処理を示す図である。
【図３Ａ】入力操作部の押下操作によりシステムをロック／アンロック状態に切替える処理の第２実施例を示し、アンロック状態からロック状態に切替える処理を示す図である。
【図３Ｂ】入力操作部の押下操作によりシステムをロック／アンロック状態に切替える処理の第２実施例を示し、ロック状態からアンロック状態に切替える処理を示す図である。
【図４】情報処理装置におけるボタンと指紋センサの第１の配置例を示す図である。
【図５】情報処理装置におけるボタンと指紋センサの第２の配置例を示す図である。
【図６】情報処理装置に外付けされた指紋センサにボタンが配置された例を示す図である。
【符号の説明】
【００２３】
１    情報処理装置
２２、３２、１０６    ボタンインターフェース
２０、３０、１１０    モード切替処理部
２１、３１、１１２    入力操作部
２２０、３２０    記憶部
４３、５３、２１０、３１０、６１０    ボタン
【発明を実施するための最良の形態】
【００２４】
図１は本発明の一実施形態による情報処理装置のブロック構成図である。図１に示す各種機能を遂行する情報処理装置１は、バスライン１００を介して通信可能に接続されたＣＰＵ１０１、ＲＡＭ１０２、ＲＯＭ１０３、ＨＤＤ１０４、キーボードコントローラ１０５、ボタンインターフェース１０６、通信インターフェース１０７およびＬＣＤコントローラ１０８等を有する。キーボードコントローラ１０５にはキーボード１１１が、ボタンインターフェース１０６には本発明の所定操作としての押下操作が可能なボタンが設けられた入力操作部１１２が、通信インターフェース１０７には外部機器が、ＬＣＤコントローラ１０８にはＬＣＤ１１３がそれぞれ接続されている。ＨＤＤ１０４にはＯＳと種々のアプリケーションプログラムとＡＰＩ（Application Program Interface）とが格納されており必要に応じてＲＡＭ１０２に書き込まれＣＰＵ１０１により利用される。【００２５】
情報処理装置１はこのようなコンピュータで構成されたシステムであり、モード切替処理部１１０が設けられ、システムのロック/アンロック状態を切替える。以降、情報処理装置１を適宜システムと記す。モード切替処理部１１０は、ボタンインターフェース１０６とモード切替処理を実行する１つのプログラム１１４とを有する。モード切替処理部１１０は、入力操作部１１２からボタンインターフェース１０６に通知されたボタンの押下操作を受け、その時のシステムのロック/アンロック状態に応じて、ＡＰＩを介してＯＳにシステムをロック/アンロック状態にさせる処理をプログラムにより実行する。すなわち、ロック／アンロックのモード切替処理部１１０は、アンロックモードにある場合にはロック要求操作に該当する［Windows（登録商標）]＋［L]キー押下操作のエミュレーションを実行し、ロックモードにある場合にはアンロック要求操作に該当する［CTRL]＋［ALT]＋［DEL]キー押下操作のエミュレーションを実行する。
【実施例１】
【００２６】
図２Ａおよび図２Ｂは入力操作部の押下操作によりシステムをロック／アンロック状態に切替える処理の第１実施例を示し、図２Ａはアンロック状態からロック状態に切替える処理を示す図であり、図２Ｂはロック状態からアンロック状態に切替える処理を示す図である。図２Ａおよび図２Ｂに示すように、全体に示す情報処理装置２００におけるモード切替処理部２０に、入力操作部２１におけるボタン２１０の押下操作により起動しモード切替処理部２０により切替えられるシステムのロック／アンロック状態を記憶する記憶部２２０が設けられる。【００２７】
まず、図２Ａを用いてシステムをアンロック状態からロック状態に切替える処理を説明する。
ステップＳ１：ボタン２１０を押下する。
ステップＳ２：入力操作部２１はボタンインターフェース２２にボタン２１０が押下されたことを通知する。
ステップＳ３：ボタンインターフェース２０は入力操作部２１からの通知を受けてボタン２１０が押下操作されたことを検出し、記憶部２２０に記憶されたシステムのロック／アンロックの要求履歴（＝０）を参照の上、［Windows（登録商標）]＋［L]キー押下操作に該当するイベントをＡＰＩに通知し、要求履歴を（＝１）に更新する。
ステップＳ４：ＡＰＩはＯＳにシステムをロックさせる。【００２８】
次に、図２Ｂを用いてシステムをロック状態からアンロック状態に切替える処理を説明する。
ステップＳ５：ボタン２１０を押下する。
ステップＳ６：入力操作部２１はボタンインターフェース２２にボタン２１０が押下されたことを通知する。
ステップＳ７：ボタンインターフェース２２は入力操作部２１からの通知を受けてボタン２１０が押下操作されたことを検出し、要求履歴（＝１）を参照の上、［CTRL]＋［ALT]＋［DEL]キー押下操作に該当するイベントをＡＰＩに通知し、要求履歴を（＝０）に更新する。
ステップＳ８：ＡＰＩはＯＳにシステムをアンロックさせる。【００２９】
モード切替処理部２０は、ステップＳ３で、ステップＳ４のＡＰＩのシステムロックが成功したことをＡＰＩと確認後、要求履歴を（＝１）に更新してもよい。この場合、ステップＳ４のＡＰＩのシステムロックが失敗、またはシステムロック途中で再度ボタン２１０が押下され（ステップＳ５と同じ）、ステップＳ６を経由して、ステップＳ７で、要求履歴（＝１）になっており、誤って［CTRL]＋［ALT]＋［DEL]キー押下操作に該当するイベントをＡＰＩに通知してしまうことを回避できる。【００３０】
同様に、モード切替処理部２０は、ステップＳ７で、ステップＳ８のＡＰＩのシステムアンロックが成功したことをＡＰＩと確認後、要求履歴を（＝０）に更新してもよい。この場合、ステップＳ７のＡＰＩのシステムアンロックが失敗またはシステムアンロック途中で再度ボタン２１０が押下され（ステップＳ１と同じ）、ステップＳ２を経由して、ステップＳ３で、要求履歴（＝０）になっており、誤って［Windows（登録商標）]＋［L]キー押下操作に該当するイベントをＡＰＩに通知してしまうことを回避できる。
【実施例２】
【００３１】
図３Ａおよび図３Ｂは入力操作部の押下操作によりシステムをロック／アンロック状態に切替える処理の第２実施例を示し、図３Ａはアンロック状態からロック状態に切替える処理を示す図であり、図３Ｂはロック状態からアンロック状態に切替える処理を示す図である。図３Ａおよび図３Ｂに示すように、全体に示す情報処理装置３００における入力操作部３１に、入力操作部３１におけるボタン３１０の押下操作により起動しモード切替処理部３０により切替えられるシステムのロック／アンロック状態を記憶する記憶部３２０が設けられる。【００３２】
まず、図３Ａを用いてシステムをアンロック状態からロック状態に切替える処理を説明する。
ステップＳ１：ボタン３１０を押下する。
ステップＳ２：入力操作部３１は記憶部３２０に記憶されたシステムのロック／アンロックの要求履歴（＝０）にてボタン３１０が押下されたことをボタンインターフェース３２に通知し、要求履歴を（＝１）に更新する。
ステップＳ３：ボタンインターフェース３２はボタン３１０が押下されたことを検出し、［Windows（登録商標）］＋［L］キー押下操作に該当するイベントをＡＰＩに通知する。
ステップＳ４：ＡＰＩはＯＳにシステムをロックさせる。【００３３】
次に、図３Ｂを用いてシステムをロック状態からアンロック状態に切替える処理を説明する。
ステップＳ５：ボタン３１を押下する。
ステップＳ６：入力操作部３１は要求履歴（＝１） にてボタン３１が押下されたことをボタンインターフェース３２に通知し、要求履歴を（＝０）に更新する。
ステップＳ７：ボタンインターフェース３２はボタン３１０が押下されたことを検出し、［CTRL］＋［ALT］＋［DEL］キー押下操作に該当するイベントをＡＰＩに通知する。
ステップＳ８：ＡＰＩはＯＳにシステムをアンロックさせる。【００３４】
入力操作部３１は、ステップＳ２で、ステップＳ４のＡＰＩのシステムロックが成功したことをボタンインターフェース３２を経由してＡＰＩと確認後、要求履歴を（＝１）に更新してもよい。この場合、ステップＳ４のＡＰＩのシステムロックが失敗またはシステムロック途中で、再度ボタン３１０が押下され（ステップＳ５と同じ）、ステップＳ６で、要求履歴（＝１）になっており、誤ってボタン３１０が押下されたことをボタンインターフェース３２に通知し、ボタンインターフェース３２よりＡＰＩに、［CTRL］＋［ALT］＋［DEL］キー押下操作に該当するイベントを通知してしまうことを回避できる。【００３５】
同様に、入力操作部３１は、ステップＳ６で、ステップＳ８のＡＰＩのシステムアンロックが成功したことをボタンインターフェース３２を経由してＡＰＩと確認後、要求履歴を（＝０）に更新してもよい。この場合、ステップＳ８のＡＰＩのシステムアンロックが失敗またはシステムアンロック途中で再度ボタン３１０が押下され（ステップＳ１と同じ）、ステップＳ２で、要求履歴（＝０）になっており、誤ってボタン３１０が押下されたことをボタンインターフェース３２に通知し、ボタンインターフェース３２よりＡＰＩに、［Windows（登録商標）］＋［L］キー押下操作に該当するイベントを通知してしまうことを回避できる。【００３６】
図４は情報処理装置におけるボタンと指紋センサの第１の配置例を示す図である。図４には情報処理装置の具体例としてアプリケーションボタン内蔵のノートＰＣ４０の外観が示されている。【００３７】
ノートＰＣ４０にはキーボード４１上のユーザが通常使用しない領域にアプリケーションボタン（不図示）が内蔵されている。この例ではアプリケーションボタンの中から電源ボタン４２の隣のボタンを本発明のボタン４３として採用する。電源ボタン４２近傍で、アプリケーションボタンの覚えやすい位置に本発明のボタン４３を設置することにより、本発明のシステム・ロック/アンロック操作の操作性が向上する利点がある。【００３８】
図５は情報処理装置におけるボタンと指紋センサの第２の配置例を示す図である。図５に示すノートＰＣ５０は指紋センサ５４が内蔵されている。ノートＰＣ５０の指紋センサ５４の近傍、ここでは指紋センサ５４の走査部上部に本発明のボタン５３を設置する。【００３９】
ボタン５３押下後、押下した指で指紋センサ５４の走査部を走査してユーザ認証を行うことにより、最短時間でシステムのロック／アンロック操作とユーザ認証操作とが連続して行え、操作性が向上する利点がある。【００４０】
図６は情報処理装置に外付けされた指紋センサにボタンが配置された例を示す図である。図６に示すようにノートＰＣ６０には外付指紋認識装置６１がＵＳＢケーブル６２により接続されている。外付指紋認識装置６１の走査部上部に本発明のボタン６１０が設置されている。【００４１】
図５に示すボタン配置例と同様、ボタン６１０を押下後、押下した指で指紋センサ部６２０を走査してユーザ認証を行うことにより、最短時間でシステムのロック／アンロック操作とユーザ認証操作とが連続して行え、操作性が向上する利点がある。
【図１】
0004787876.tif 000002
【図２Ａ】
0004787876.tif 000003
【図２Ｂ】
0004787876.tif 000004
【図３Ａ】
0004787876.tif 000005
【図３Ｂ】
0004787876.tif 000006
【図４】
0004787876.tif 000007
【図５】
0004787876.tif 000008
【図６】
0004787876.tif 000009